(57)【特許請求の範囲】
【請求項１】
固定素子を打ち込むための打ち込み装置であって、ハウジング（１１）と、案内（１２）内に変位可能に案内した駆動体（１３）と、発射口部分（１４）内に設けたピンガイド（１５）とを有し、
連結手段によって解離可能に発射口部分（１４）に取り付けることができる、固定素子用のマガジン（２０）を設け、このマガジン（２０）の発射口部分（１４）側の端部を連結領域（２１）によって、発射口部分（１４）に取り付けることができ、
発射口部分（１４）とマガジン（２０）との間の連結手段に、マガジン（２０）の連結領域（２１）における第１支持手段と、発射口領域（１４）における第２支持手段とを備えた回動摺動部（１７）を設けた打ち込み装置において、
前記回動摺動部（１７）を差し込み継手として構成し、ただし、マガジン（２０）のハウジング（１１）側とは反対側における回動摺動部（１７）の回動軸線（Ｓ）を、発射口部分（１４）の外側およびマガジン（２０）の外側に、並びにピンガイド（１５）およびマガジン（２０）によって画定する平面（Ｅ）に直交するように設けることを特徴とした打ち込み装置。
【請求項２】
請求項１記載の装置において、第１支持手段を連結領域（２１）における湾曲した支持面（２２）によって構成し、また第２支持手段を発射口部分（１４）における第１支持面（２２）に相補的に湾曲させた対向支持面（１９）によって構成し、これらの支持面を、差し込み継手を差し込むために互いに接触させることができるものとした打ち込み装置。
【請求項３】
請求項２記載の装置において、支持面（２２）を凹状に、および対向支持面（１９）を凸状に湾曲させた打ち込み装置。
【請求項４】
請求項２または３記載の装置において、支持面（２２）および対向支持面（１９）は、それぞれ、最小２５°〜最大１８５°とした弧度（α１，α２）にわたる湾曲面とした打ち込み装置。
【請求項５】
請求項１記載の装置において、他の連結手段を、マガジン（２０）とハウジング（１１）との間に設け、この連結手段は係止ロック（３０）を有し、この係止ロック（３０）に、マガジン（２０）の長手方向に変位可能かつ、少なくとも１個の弾性素子（３２）によってバイアス負荷を加えたスライダ（３１）を備え、このスライダ（３１）に係止部（３３）を設け、この係止部（３３）は対向係止素子（３４）と協働して係止位置（３５）をとることができ、この際、弾性素子（３３）によってバイアス負荷を加えたスライダ（３１）が、係止位置（３５）においてマガジン（２０）を発射口部分（１４）に圧着させるものとした打ち込み装置。
【請求項６】
請求項５記載の装置において、スライダ（３１）をマガジン（２０）に設け、少なくとも１個の弾性素子（３２）によってマガジン（２０）の連結領域（２１）から遠ざかる方向に弾性的にバイアス負荷を加え、この際、係止部（３３）をスライダ（３１）の、連結領域（２１）側とは反対側かつハウジング（１１）側の端部に設け、対向係止素子（３４）をハウジング（１１）に設けた打ち込み装置。
【発明の詳細な説明】
【技術分野】
【０００１】
本発明は、特許請求の範囲における請求項１の前段部分に記載した打ち込み装置（鋲打ち機）に関する。このような打ち込み装置は、固体、気体もしくは液体の燃料、また、空気圧もしくは圧搾空気、または電気エネルギーによって駆動できる。
【背景技術】
【０００２】
この種の、打ち込みピストンまたはプランジャなどの駆動体によって固定素子を基礎構造に打ち込む打ち込み装置では、駆動体は固定素子の方向に加速される。燃焼駆動式の打ち込み装置では、駆動体を例えば燃焼ガスによって駆動する。駆動体に作用する圧力により、駆動体は固定素子の方向に加速され、固定素子に衝突し基礎構造に打ち込む。この際、固定素子はマガジンに収納し、このマガジンを打ち込み装置における発射口部分の領域に備える。
【０００３】
特許文献１（米国特許第６８８０７３９号）には、固定素子を打ち込むための駆動体を有する、この種の手持ち式打ち込み装置が記載されている。この打ち込み装置には、発射口部分から側方に突出する、固定素子用のマガジンを解離可能に設ける。この際、マガジンをねじ連結の形式とした第１連結手段によって、打ち込み装置のハウジングにおけるグリップの領域に固定する。発射口部分とマガジンとの間の連結手段は、マガジンにおける第１支持手段および発射口部分における第２支持手段と協働して回動軸受を構成し、これらをねじによって互いに連結する。この回動軸受の回動軸線は、ねじ軸の軸線に位置する。
【０００４】
特許文献１に記載の打ち込み装置は、マガジンを打ち込み装置に取り付けるために手間がかかるという欠点を有する。
【０００５】
特許文献２（独国特許公開第３３３７２７８号）には、固定素子を打ち込むための駆動体を有する、この種の手持ち式打ち込み装置が記載されている。この打ち込み装置のハウジングにおける発射口部分の領域には、固定素子用のマガジンを備え、このマガジンを打ち込み装置に取り付けた状態において、回動ポイントを中心としてばねの押圧力に抗して回動可能とする。
【０００６】
この既知の打ち込み装置は、マガジンを打ち込み装置のハウジングに旋回可能に設けたことにより、マガジン内に望ましくないゴミが入り込み、これにより搬送障害が起こりうるという欠点を有する。さらに、マガジンをハウジングに取り付けるためには手間がかかる。
【先行技術文献】
【特許文献】
【０００７】
【特許文献１】米国特許第６８８０７３９号明細書
【特許文献２】独国特許出願公開第３３３７２７８号明細書
【発明の概要】
【発明が解決しようとする課題】
【０００８】
本発明の課題は、上述の欠点を回避し、より簡単にマガジンをハウジングに取り付けることができるこの種の打ち込み装置を得ることにある。
【課題を解決するための手段】
【０００９】
この課題は、特許請求の範囲における請求項１の後段に記載の特徴により解決する。本発明によれば、マガジンと発射口部分との間における軸受を差し込み継手として構成し、ただし、マガジンのハウジング側とは反対側における回動摺動部の回動軸線を、発射口部分の外側およびマガジンの外側に、並びにピンガイドおよびマガジンによって画定する平面に直交するように設ける。
【発明の効果】
【００１０】
これにより、マガジンの発射口部分に対する取り付けおよび解離を、第一に、回動摺動部の２個の支持手段を互いに、単に差し込み動作または復元動作をさせることにより行うことができ、ねじを用いる必要がない。第二に、回動摺動部の回動軸線が本発明により姿勢をとることにより、マガジンを衝突させることなく、かつ同一平面上において、発射口部分に旋回によって接近させることができる。マガジンを発射口部分の同一平面上に備えることにより、マガジン内にゴミが入ることを妨げる。
【００１１】
好適には、第１支持手段を連結領域における湾曲した支持面によって構成し、第２支持手段を発射口部分における、第１支持面に相補的に湾曲させた対向支持面によって構成し、これらの支持面は、差し込み継手を差し込むために互いに接触させることができる。
【００１２】
さらに、支持面および対向支持面を比較的大きく構成することができ、これにより、衝突負荷が加わる際に面圧力を低く保ち、かつ回動摺動部が解離することを回避できる。
【００１３】
好適な形態において、支持面を凹状に、および対向支持面を凸状に湾曲させることにより、マガジンを発射口部分に取り付けた後に、マガジンが打ち込み装置のハウジングに向かって回動可能となる。
【００１４】
支持面および対向支持面がそれぞれ、最小２５°〜最大１８５°とした弧度をなすものとすると、回動摺動部を最適に調節できる。
【００１５】
さらに好適には、他の連結手段をマガジンとハウジングとの間に設ける。この連結手段は係止ロックを有し、この係止ロックにマガジンの長手方向に変位可能かつ、少なくとも１個の弾性素子によってバイアス負荷を加えたスライダを（ハウジングおよびマガジンのうちいずれか一方の部分に）備え、このスライダに係止部を設け、この係止部を（ハウジングおよびマガジンのうち他方の部分における）対向係止素子と協働させて係止位置をとることができ、この際、弾性素子によってバイアス負荷を加えたスライダが、係止位置においてマガジンを発射口部分に対して圧着させるものとする。これにより、マガジンを第一に簡単に、発射口部分とマガジンとの間における回動摺動部に付加的に、ハウジングに対しても固定することができる。これは、係止ロックとして構成し、掛合連結の形式とした連結手段が、マガジンを打ち込み装置のハウジングに対して押し当てた際に自動的に掛合し、マガジンをハウジングに連結するためである。同時に、マガジンを発射口または、発射口に設けたピンガイドに対して押し当てることにより、一方を発射口部分またはピンガイド、他方をマガジンの連結領域とし、これらの間に存在する連結がさらに密閉される。マガジンと発射口部分との間における接合部は、さらに密着する。
【００１６】
スライダをマガジンに設け、少なくとも１個の弾性素子によってマガジンの連結領域から遠ざかる方向に弾性的にバイアス負荷を加えることも有利である。この際、係止部をスライダの、連結領域側とは反対側かつハウジング側の端部に設け、対向係止素子をハウジングに設ける。このような構成により、簡単な両手操作によりマガジンを打ち込み装置から取り外すことができる。この際、使用者は打ち込み装置を一方の手で保持し、他方の手でマガジンを握ると同時にスライダを操作して係止ロックを解除する。
【００１７】
次に、図面につき本発明の好適な実施例を説明する。
【図面の簡単な説明】
【００１８】
【図１】本発明による打ち込み装置の、固定素子のためのマガジンを取り付けた状態における発射口領域を示す部分断面図である。
【図２】図１に示す打ち込み装置の、マガジンを打ち込み装置のハウジングから部分的に解離した状態における発射口領域を示す部分断面図である。
【図３】図１に示す打ち込み装置の、マガジンを発射口部分および打ち込み装置のハウジングから解離した状態における発射口領域を示す部分断面図である。
【発明を実施するための形態】
【００１９】
図１〜図３には、手持ち式打ち込み装置（鋲打ち機）１０の発射口領域を示す。この打ち込み装置１０は、例えば電動または燃焼力駆動式とし、ハウジング１１内に配置し打ち込みピストンとして構成した駆動体１３を有する打ち込み機構を設ける。この駆動体１３を、案内１２に移動可能に案内する。図１〜図３は、打ち込み動作の準備が完了した、駆動体１３の初期位置を示す。
【００２０】
打ち込み装置１０の発射口部分１４には、案内１２と同軸状に延在するピンガイド１５を設け、このピンガイド１５のハウジング１１側とは反対側の遊端を、加工材に当接できるものとする。ピンガイド１５は、固定素子５０（図１に示す）の収容および案内、並びに固定素子を打ち込む駆動体１３の端部を案内する。ピンガイド１５内の固定素子５０を、打ち込み動作の際、ピンガイド１５の遊端の方向に移動する駆動体１３によって加工材に打ち込む（図示せず）。
【００２１】
発射口部分１４から側方に突出するように、マガジン２０を連結手段によって打ち込み装置１０に着脱可能に配置する。マガジン２０内には固定素子５０のためのガイドチャネル２４を設け、このガイドチャネル２４をピンガイド１５に向かって開口させることにより、図１に示す、打ち込み装置１０に固定したマガジン２０の位置において、固定素子５０をガイドチャネル２４からピンガイド１５内に搬送できる。マガジン２０の発射口部分１４側の端部には、連結片として構成した連結部分２１を設け、この連結部分２１の第１幅狭面２５に、凹状の支持面２２を設ける。この支持面２２は、発射口部分１４の支持鞍部１８における凸状の対向支持面１９と協働する、回動摺動部１７を構成する。この回動軸受１７の回動軸線Ｓは、発射口部分１４の外側およびマガジン２０の外側に存在し、さらに、ピンガイド１５およびマガジン２０が画定する平面Ｅに直交する。支持面２２および対向支持面１９は互いに相補的に湾曲するものとし、また、最小２５°〜最大１８５°弧度α１，α２をなすことにより（図１参照）、面を互いに最適に案内することを保証する。この際、回動摺動部１７はマガジン２０のハウジング１１側とは反対側の側面に設ける。回動摺動部１７によってマガジン２０を、駆動体１３の打ち込み方向および、ピンガイド１５の長手方向に直交する方向に、発射口部分１４に対して支持する。凹状の支持面２２を備えた、連結領域２１およびマガジン２０の第１幅狭側面２５を、連結領域２１およびマガジン２０の第２幅狭側面２６とは反対側に配置する。第２幅狭側面２６の連結領域２１にはストッパＡを設け、マガジン２０を打ち込み装置１０に固定した状態において、このストッパＡを発射口部分１４の端縁に接触させ、また、このストッパＡによってマガジン２０を駆動体１３の打ち込み方向とは反対側で、発射口部分１４に支持する。マガジン体自体の領域における第２幅狭側面２６には、さらに係止ロック３０のスライダ３１を（他の連結手段として）、マガジン２０の長手方向に沿って限定範囲内で摺動可能に設ける。スライダ３１を少なくとも１個の、例えばばね素子などの弾性素子３２によって、マガジン２０の連結領域２１から遠ざかるよう摺動方向に弾性的にばね負荷を加える。スライダ３１の連結領域２１側とは反対側の端部領域に、少なくとも１個の係止部３３を設け、この係止部３３は、ハウジング１１における係止ロック３０の対向係止部３４と協働させて、図１に示す係止位置３５をとらせることができる。この係止位置３５において、マガジン２０を回動摺動部１７と係止ロック３５との組み合わせにより、打ち込み装置１０に確実に固定する。この際、弾性的に負荷を加えたスライダ３１によって、マガジン２０に対しピンガイド１５に直交する方向に応力を加え、またはマガジン２０を発射口部分１４に向かって押圧することにより、一方の側における発射口部分１４またはピンガイド１５と、他方の側におけるマガジン２０の連結領域２１との間における接合部２３が密着する。このように発射口部分に取り付けた状態では、粒子がガイドチャネル２４の開口部からマガジン２０に入ることはなく、またマガジン２０に向かって開口するピンガイド１５内に到達する���ともない。
【００２２】
マガジン２０を発射口部分１４から取り外すためには、スライダ３１を少なくとも１個の弾性素子３２の力に抗して、手動で矢印７０の方向に離脱位置３６に変位させ、この離脱位置３６を図１において点線で示したスライダ３１によって示す。このように係止素子３３と対向係止素子３４の間における係止連結を解除することにより、マガジン２０を、発射口部分１４の外側およびマガジン２０の外側に位置する仮想的な回動軸線Ｓの周りを矢印７１（図２および図３参照）の方向に回動し、マガジン２０を完全に発射口部分１４から取り外し、釈放することができる。マガジン２０を打ち込み装置１０に取り付けるためには、これらの動作を反対の回動方向に行い、係止ロック３０を締結し、係止素子３３を対向係止素子３４に掛合させる。
【符号の説明】
【００２３】
１０  打ち込み装置
１１  ハウジング
１２  案内
１３  駆動体
１４  発射口部分
１５  ピンガイド
１７  回動摺動部
１８  支持ラック
１９  対向支持面
２０  マガジン
２１  連結領域
２２  支持面
２３  接合部
２４  ガイドチャネル
２５  第１幅狭側面
２６  第２幅狭側面
３０  係止ロック
３１  スライダ
３２  弾性素子
３３  係止部
３４  対向係止部
３５  係止位置
３６  解離位置
５０  固定素子
Ａ  ストッパ
α１  弧度
α２  弧度
Ｅ  平面
Ｓ  回動軸線
【図１】
0005457697.tif 000002
【図２】
0005457697.tif 000003
【図３】
0005457697.tif 000004